(57)【要約】      （修正有）【課題】煩雑な作業を要することなく簡単な操作のみで利用者の座位に合わせた背もたれ部の張り具合の調整が可能な車椅子を提供する。【解決手段】利用者の座位に合わせて張り具合を調整可能な背もたれ部を有する車椅子であって、背もたれ部２０は、車椅子の右側車輪と左側車輪との間に配設された左右一対の背もたれフレーム部材２２、２４と、背もたれフレーム部材に一方側端部と他方側端部とが橋渡しされて固定される複数の帯状体５０と、を少なくとも備え、複数の帯状体は、背もたれ部を上下方向の順に上から上部領域Ａと中部領域Ｂと下部領域Ｃとに３分割した際に、上部領域と下部領域とに位置する帯状体が、伸縮性を有する伸縮性ベルト３０から成り、中部領域に位置する帯状体が、長さの調整が可能な長さ調整ベルト４０から成る。【選択図】図２
0003196641.tif 000002
【実用新案登録請求の範囲】
【請求項１】
利用者の座位に合わせて張り具合を調整可能な背もたれ部を有する車椅子であって、
前記背もたれ部は、
前記車椅子の右側車輪と左側車輪との間に配設された左右一対の背もたれフレーム部材と、
前記背もたれフレーム部材に一方側端部と他方側端部とが橋渡しされて固定される複数の帯状体と、を少なくとも備え、
前記複数の帯状体は、
前記背もたれ部を上下方向の順に上から上部領域と中部領域と下部領域とに３分割した際に、前記上部領域と下部領域とに位置する帯状体が、伸縮性を有する伸縮性ベルトから成り、
前記中部領域に位置する帯状体が、長さの調整が可能な長さ調整ベルトから成ることを特徴とする車椅子。
【請求項２】
前記背もたれ部の上部領域に位置する伸縮性ベルトが、複数であることを特徴とする請求項１に記載の車椅子。
【請求項３】
前記背もたれ部の下部領域に位置する伸縮性ベルトが、複数であることを特徴とする請求項１または２に記載の車椅子。
【請求項４】
前記背もたれ部の中部領域に位置する長さ調整ベルトが、１つであることを特徴とする請求項１〜３のいずれかに記載の車椅子。
【請求項５】
前記背もたれ部は、
前記帯状体を挟んで座面側を一方側面とし、さらに前記座面側とは反対側を他方側面とした際において、
少なくとも前記他方側面に前記複数の帯状体をカバーするカバー部材を備えることを特徴とする請求項１〜４のいずれかに記載の車椅子。
【請求項６】
前記カバー部材は、
前記背もたれ部の中部領域に位置する長さ調整ベルトを、前記カバー部材が設けられた状態で直接操作可能とする操作窓が設けられていることを特徴とする請求項５に記載の車椅子。
【考案の詳細な説明】
【技術分野】
【０００１】
本考案は、利用者の座位に合わせて張り具合を調整可能な背もたれ部を有する車椅子に関する。
【背景技術】
【０００２】
従来より、利用者の座位に合わせて張り具合を調整可能な背もたれ部を有する車椅子が知られている。このような車椅子の背もたれ部１００は、図６に示したように、車椅子の右側車輪（図示せず）と左側車輪（図示せず）との間に左右一対の背もたれフレーム部材１０２，１０４が配設され、この背もたれフレーム部材１０２，１０４に、支持部材１２０，１２２を介して複数（図６では６本）の長さ調整ベルト１１０が橋渡しされて固定されている。なお、図６中、符号１３０は折畳み操作部であり、背もたれ部１００は、左右の折畳み操作部１３０を境にして、背もたれフレーム部材１０２，１０４を上下方向に折り畳むことができるようになっている。
【０００３】
そして長さ調整ベルト１１０を挟んで座面側である一方側にクッション性を有する背シート部材が配設され、座面側とは反対側である他方側に図７に示したようなカバー部材１４０が備えられている。
【０００４】
カバー部材１４０には、ポケット１４４が設けられ、例えばポケット１４４内に介助に必要な備品などを収納できるようになっている。
そして車椅子を利用する際には、複数の長さ調整ベルト１１０（図６では６本の長さ調整ベルト１１０）をそれぞれ操作し、利用者の座位に合わせて背もたれ部１００の張り具合を調整することで、利用者に適した座り心地を提供できるようになっている。
【考案の概要】
【考案が解決しようとする課題】
【０００５】
ところで、このような従来の車椅子では、上記した複数の長さ調整ベルト１１０が、通常ではカバー部材１４０で覆われて見えないようになっているため、長さ調整ベルト１１０を操作する際にはカバー部材１４０をめくり上げるか取り外してから行う必要がある。
さらに背もたれ部１００の張り具合の調整は、複数の長さ調整ベルト１１０を一本ずつ操作して利用者の座位に合わせて調整する必要があり、煩雑な作業を要するものであった。
このため、張り具合の調整は敬遠され易く、折角調整機能を有していてもこの機能が有効利用されることなく、車椅子はそのまま利用されている場合が多いのが実情である。
【０００６】
本考案はこのような現状に鑑み、煩雑な作業を要することなく簡単な操作のみで利用者の座位に合わせた背もたれ部の張り具合の調整が可能な車椅子を提供することを目的とする。
【課題を解決するための手段】
【０００７】
本考案は、前述したような従来技術における問題点を解決するために考案されたものであって、
本考案の車椅子は、
利用者の座位に合わせて張り具合を調整可能な背もたれ部を有する車椅子であって、
前記背もたれ部は、
前記車椅子の右側車輪と左側車輪との間に配設された左右一対の背もたれフレーム部材と、
前記背もたれフレーム部材に一方側端部と他方側端部とが橋渡しされて固定される複数の帯状体と、を少なくとも備え、
前記複数の帯状体は、
前記背もたれ部を上下方向の順に上から上部領域と中部領域と下部領域とに３分割した際に、前記上部領域と下部領域とに位置する帯状体が、伸縮性を有する伸縮性ベルトから成り、
前記中部領域に位置する帯状体が、長さの調整が可能な長さ調整ベルトから成ることを特徴とする。
このような車椅子であれば、背もたれ部の長さ調整ベルトのみを操作するだけで、利用者の座位に合わせて背もたれ部の張り具合を調整することができる。
【０００８】
また、本考案の車椅子は、
前記背もたれ部の上部領域に位置する伸縮性ベルトが、複数であることを特徴とする。
このように伸縮性ベルトが複数であれば、背もたれ部の上部領域が利用者の背中上部の曲がり具合に合わせ、細かい幅でそれぞれが伸縮されることとなり、利用者に合わせて最適な座り心地を提供することができる。
【０００９】
また、本考案の車椅子は、
前記背もたれ部の下部領域に位置する伸縮性ベルトが、複数であることを特徴とする。
このように伸縮性ベルトが複数であれば、背もたれ部の下部領域が利用者の背中下部の曲がり具合に合わせ、細かい幅でそれぞれが伸縮されることとなり、利用者に合わせて最適な座り心地を提供することができる。
【００１０】
また、本考案の車椅子は、
前記背もたれ部の中部領域に位置する長さ調整ベルトが、１つであることを特徴とする。
このように長さ調整ベルトが１つであれば、背もたれ部の中部領域が利用者の背中中部の曲がり具合に合わせて調整され、しかも１回の操作のみでその調整を終えることができ、利用者に合わせて最適な座り心地を容易に提供することができる。
【００１１】
また、本考案の車椅子は、
前記背もたれ部は、
前記帯状体を挟んで座面側を一方側面とし、さらに前記座面側とは反対側を他方側面とした際において、
少なくとも前記他方側面に前記複数の帯状体をカバーするカバー部材を備えることを特徴とする。
このようにカバー部材を備えていれば、例えばカバー部材にポケットを設けておき、ここに車椅子の利用者の介助に必要な備品などを収納することができ好ましい。
【００１２】
また、本考案の車椅子は、
前記カバー部材は、
前記背もたれ部の中部領域に位置する長さ調整ベルトを、前記カバー部材が設けられた状態で直接操作可能とする操作窓が設けられていることを特徴とする。
【００１３】
このように操作窓が設けられていれば、カバー部材を付した状態のまま、長さ調整ベルトを操作することができる。また操作しようとする長さ調整ベルトのみが視認できるように操作窓の大きさが調整されていれば、誰でも間違うことなく確実に利用者の座位に合わせて背もたれ部の張り具合を調整することができる。
【考案の効果】
【００１４】
本考案によれば、伸縮性ベルトと長さ調整ベルトを併用し、長さ調整ベルトのみを操作するだけで、利用者の座位に合わせた背もたれ部の張り具合の調整が可能な車椅子を提供することができる。
【図面の簡単な説明】
【００１５】
【図１】図１は、本考案の車椅子の概略図である。
【図２】図２は、図１に示した車椅子の背もたれ部について、座面側とは反対側から視認した際の部分拡大図である。
【図３】図３は、図２に示した背もたれ部のＹ−Ｙ線による断面図である。
【図４】図４（ａ）は、図２に示した背もたれ部の伸縮性ベルトの両端部に面ファスナーの雄材（係止部材）を付した状態を説明する説明図、図４（ｂ）は図４（ａ）に示した面ファスナーの雄材（係止部材）上に、面ファスナーの雌材を介してカバー部材を付した状態を説明する説明図である。
【図５】図５は、本考案の車椅子の別の実施形態における背もたれ部の部分拡大図である。
【図６】図６は、従来の車椅子における背もたれ部の部分拡大図である。
【図７】図７は、従来の車椅子において背もたれ部にカバー部材を配設した状態を説明する説明図である。
【考案を実施するための形態】
【００１６】
以下、本考案の実施の形態について、図面に基づいてより詳しく説明する。
本考案は、利用者の座位に合わせて張り具合を調整可能な背もたれ部を有する車椅子に関するものである。
【００１７】
図１〜図５に示したように、本考案の車椅子１０は、利用者の座位に合わせて張り具合を調整可能な背もたれ部２０を有している。
このような背もたれ部２０は、図１および図２に示したように、車椅子１０の右側車輪８０と左側車輪８２との間に配設された左右一対の背もたれフレーム部材２２，２４と、この背もたれフレーム部材２２，２４に一方側端部と他方側端部とが橋渡しされて固定される複数の帯状体５０と、を少なくとも備えている。なお図１中、点線で囲われた領域Ｆは、背もたれ部２０が設けられている領域を示したものである。また、図１〜図５中、符号１２は折畳み操作部であり、背もたれ部２０は、左右の折畳み操作部１２を境にして、背もたれフレーム部材２２，２４を上下方向に折り畳むことができるようになっている。
【００１８】
背もたれフレーム部材２２，２４に対する帯状体５０の固定については、如何なる固定方法であっても構わないが、本実施形態では、支持部材２６，２８を介して帯状体５０を背もたれフレーム部材２２，２４に固定している。
【００１９】
本実施形態の支持部材２６，２８は、背もたれフレーム部材２２，２４に締結部材を介して固定され、支持部材２６，２８は帯状体５０を挟持するよう構成されている。
なお、支持部材２６，２８の材質は、背もたれフレーム部材２２，２４と帯状体５０とを確実に連結することができれば如何なる材質から成っていても良いものであるが、例えばポリエステルから成ることが好ましい。
【００２０】
複数の帯状体５０は、図２に示したように、背もたれ部２０を上下方向の順に上から上部領域Ａ，中部領域Ｂ，下部領域Ｃとに３分割した際、上部領域Ａと下部領域Ｃとに位置する帯状体５０が、伸縮性を有する伸縮性ベルト３０から成っている。
【００２１】
上部領域Ａの伸縮性ベルト３０と下部領域Ｃの伸縮性ベルト３０は、それぞれ複数本（図２では上部領域Ａで３本、下部領域Ｃで２本）であることが好ましい。このように伸縮性ベルト３０が複数であれば、背もたれ部２０の上部領域Ａおよび下部領域Ｃが利用者の背中上部と背中下部の曲がり具合に合わせ、細かい幅でそれぞれが伸縮されることとなり、利用者に合わせて最適な座り心地を提供することができる。
【００２２】
なお、伸縮性ベルト３０の本数や幅については特に限定されるものではなく、例えば上部領域Ａと下部領域Ｃとをそれぞれ１本の幅広な伸縮性ベルト３０としたり、上部領域Ａを複数の伸縮性ベルト３０，下部領域Ｃを１本の伸縮性ベルト３０としたり、さらには一つの領域内で、幅の異なる複数の伸縮性ベルト３０とするなど、適宜組合せは自由なものである。
一方、中部領域Ｂに位置する帯状体５０は、長さの調整が可能な長さ調整ベルト４０から成っている。
【００２３】
長さ調整ベルト４０は１つであることが好ましく、このように長さ調整ベルト４０が１つであれば、背もたれ部２０の中部領域Ｂが利用者の背中中部の曲がり具合に合わせて調整され、しかも１回の操作のみでその調整を終えることができ、利用者に合わせて最適な座り心地を容易に提供することができる。
【００２４】
本考案の車椅子１０では、背もたれ部２０において、伸縮性ベルト３０と長さ調整ベルト４０を併用し、長さ調整ベルト４０が、中部領域Ｂにのみ用いられている点が特に特徴的な構成となっている。
【００２５】
この中部領域Ｂは、図３に示したように、背もたれ部２０の大凡中ほどに位置する領域であり、この中部領域Ｂは、車椅子１０に利用者が着座した際に、利用者の背中が当たって、座面側Ｄから座面側とは反対側Ｅに向かって張り出す箇所である。
【００２６】
したがって、この中部領域Ｂに設けられた長さ調整ベルト４０の長さを調整すれば、利用者の座位に合わせて張り具合を簡単に調整することができる。
ここで長さ調整ベルト４０としては、長さが調整可能であれば、如何なる材質でできていても構わないが、例えばポリプロピレンから成る長さ調整ベルト４０が用いられることが好ましい。長さ調整ベルト４０は面ファスナー方式、ボタン式、フック係合式など所定の長さに調整が可能であればどのようなタイプのものを用いても構わないものである。
【００２７】
さらに伸縮性ベルト３０としては、伸縮性を有すれば如何なる材質でできていても構わないが、例えばゴムとポリプロピレンから成る伸縮性ベルト３０が用いられることが好ましい。この伸縮性ベルト３０により、車椅子１０に利用者が着座した際に、利用者の背中を程良く保持することができる。
【００２８】
なお、本考案の車椅子１０においては、帯状体５０を挟んで座面側Ｄを一方側面とし、さらに座面側とは反対側Ｅを他方側面とした際に、座面側Ｄの一方側面にクッション性を有する背シート部材（図示せず）を備え、座面側とは反対側Ｅの他方側面に複数の帯状体５０をカバーするカバー部材７０を備えることが好ましい。
【００２９】
カバー部材７０は、複数の帯状体５０の上に着脱自在に取り付けられればどのような取り付け方法であっても良いものであるが、例えば図４（ａ）に示したように、背もたれ部２０の上部領域Ａに位置する伸縮性ベルト３０の左右の端部と、下部領域Ｃに位置する伸縮性ベルト３０の左右の端部とにそれぞれ面ファスナー（マジックテープ（登録商標））６０の雄材（係止部材）を設けておき、図４（ｂ）に示したように、この雄材（係止部材）に合致する位置に雌材が設けられたカバー部材７０を張り合わせれば、確実に帯状体５０の上にカバー部材７０を配設することができる。
【００３０】
そして、このカバー部材７０においては、帯状体５０の上に配設した状態において、背もたれ部２０の中部領域Ｂに位置する長さ調整ベルト４０を操作するための操作窓７２が設けられていることが好ましい。
【００３１】
このようにカバー部材７０に操作窓７２が設けられていれば、カバー部材７０を付した状態でも、カバー部材７０の上から長さ調整ベルト４０を操作することができ、特に操作しようとする長さ調整ベルト４０のみが視認できるように操作窓７２の大きさを調整することにより、誰でも間違うことなく確実に利用者の座位に合わせて背もたれ部２０の張り具合を調整することができる。
【００３２】
ここでカバー部材７０の色については、車椅子１０のデザインに合わせて如何なる色であっても構わないものであるが、長さ調整ベルト４０とカバー部材７０の色を変えておけば、操作窓７２から視認される長さ調整ベルト４０を際立たせることができる。
【００３３】
カバー部材７０は、最低限、複数の帯状体５０を覆うことができ、長さ調整ベルト４０のみ視認できる操作窓７２を有することが好ましいが、例えばポケット７６が設けられていれば、このポケット７６内に介助に必要な備品などを収納することができ好ましい。
【００３４】
なお、座面側Ｄの一方側面に設けられた背シート部材（図示せず）については特に限定されるものではなく、例えばＰＶＣとポリエステルからなるものなどを用いることができる。
【００３５】
以上、本考案の車椅子１０について説明したが、本考案は上記の実施形態に限定されるものではなく、例えば上記した本考案の車椅子１０では、図２に示したように支持部材２６，２８を介して背もたれフレーム部材２２，２４に帯状体５０が固定される実施形態で説明したがこれに限定されるものではなく、図５に示したように、背もたれフレーム部材２２，２４に直接的に帯状体５０を固定しても良いものである。
【００３６】
また本考案の車椅子１０は、車椅子の種類を限定するものではなく、例えば介助型車椅子，自走型車椅子，電動車椅子など、如何なる車椅子であっても良いなど、本考案の目的を逸脱しない範囲で種々の変更が可能なものである。
【符号の説明】
【００３７】
１０  車椅子
１２  折畳み操作部
２０  背もたれ部
２２  背もたれフレーム部
２４  背もたれフレーム部
２６  支持部材
２８  支持部材
３０  伸縮性ベルト
４０  長さ調整ベルト
５０  帯状体
６０  面ファスナー
７０  カバー部材
７２  操作窓
７６  ポケット
８０  右側車輪
８２  左側車輪
Ａ  上部領域
Ｂ  中部領域
Ｃ  下部領域
Ｄ  座面側
Ｅ  座面側とは反対側
Ｆ  背もたれ部が設けられている領域
１００  背もたれ部
１０２  背もたれフレーム部
１０４  背もたれフレーム部
１１０  長さ調整ベルト
１２０  支持部材
１２２  支持部材
１３０  折畳み操作部
１４０  カバー部材
１４４  ポケット
【図１】
0003196641.tif 000003
【図２】
0003196641.tif 000004
【図３】
0003196641.tif 000005
【図４】
0003196641.tif 000006
【図５】
0003196641.tif 000007
【図６】
0003196641.tif 000008
【図７】
0003196641.tif 000009